(57)【要約】      （修正有）【課題】正極電極が負極電極からはみ出していたとしても負極電極から析出する金属の発生又は負極電極から析出する金属の成長又は負極電極から析出する金属と正極電極の接触を防止することのできる，非水電解質二次電池，及びその製造方法を提供する。【解決手段】負極電極２と，前記負極電極と少なくとも一部でセパレーター３を介して対向する正極電極１と，前記正極電極の一部を含む上に設けられた電気絶縁体又は非イオン導電体６とを具備し，前記正極電極は，前記負極電極からはみ出した非対向領域１−４を有し，前記電気絶縁体又は非イオン導電体は，前記非対向領域において前記正極電極を覆うように設けられている。【選択図】図４
2012204333.tif 000002
【特許請求の範囲】
【請求項１】
少なくとも一部の正極集電体上に正極活物質層が設けられた正極電極と少なくとも一部の負極集電体上に負極活物質層が設けられた負極電極とが交互に積層された非水電解質二次電池において，
前記正極電極は少なくとも一部において前記負極電極とセパレータを介して対向しており，
前記正極電極は，前記セパレータを介して前記負極電極と対向する対向領域と，前記負極電極と対向しない非対向領域とを有し，
前記正極電極の一部を被覆する電気絶縁体又は非イオン導電体を具備し，
前記電気絶縁体又は非イオン導電体は少なくとも前記非対向領域を含む領域を覆うように設けられていることを特徴とする
非水電解質二次電池。
【請求項２】
請求項１に記載された非水電解質二次電池であって，
前記正極集電体は，前記対向領域の外部へ向かって延びる正極タブを有しており，
前記正極タブの少なくとも一部が前記対向領域である
非水電解質二次電池。
【請求項３】
請求項１又は請求項２に記載された非水電解質二次電池であって，
前記電気絶縁体又は非イオン導電体は，少なくとも一部の前記正極活物質の端とその周縁部を被覆するように設けられている
非水電解質二次電池。
【請求項４】
請求項１又は請求項２又は請求項３のいずれかに記載された非水電解質二次電池であって，
更に，前記セパレータは多孔質であって，
前記セパレータは，少なくとも前記非対向領域を含む領域と対向している部分で空孔が閉塞されている
非水電解質二次電池。
【請求項５】
正極集電体上に，正極活物質層を形成する工程と，
当該工程の後に，前記正極活物質層と前記正極集電体と正極タブとを含む形状に切断して正極電極を作製する工程と，
負極集電体上に，負極活物質層を形成する工程と，
当該工程の後に，前記負極活物質層と前記負極集電体と負極タブをと含む形状に切断して負極電極を作製する工程と，
前記正極電極と前記負極電極とがセパレータを介して対向するように交互に積層する工程とを具備し，
前記正極電極を作製する工程は，少なくとも非対向領域を含む領域が被覆されるように，前記正極部電極上に電気絶縁体又は非イオン導電体を配置する工程とを備える
非水電解質二次電池の製造方法。
【請求項６】
請求項５に記載された非水電解質二次電池の製造方法であって，
前記電気絶縁体又は前記非イオン導電体を配置する工程は，前記電気絶縁体又は前記非イオン導電体を，少なくとも一部の前記正極活物質の端とその周縁部を被覆するように配置する工程を含む
非水電解質二次電池の製造方法。
【請求項７】
請求項５又は６に記載された非水電解質二次電池の製造方法であって，
更に，
前記セパレータは少なくとも前記非対向領域を含む領域に対向している部分の空孔が閉塞されるように熱溶着，熱溶解又は溶剤塗布して空孔閉塞部を形成する工程，
を具備し，
前記積層する工程は，少なくとも前記非対向領域を含む領域が前記空孔閉塞部と対向するように，に前記セパレータが配置される工程を含む
非水電解質二次電池の製造方法。
【発明の詳細な説明】
【技術分野】
【０００１】
本発明は，非水電解質二次電池及びその製造方法に関する。
【背景技術】
【０００２】
再充電可能な二次電池として，非水電解質二次電池が知られている。特にリチウムイオン二次電池は，高エネルギー密度，高電池容量を有することから注目を集めている。非水電解質二次電池は，少なくとも一部の正極集電体上に正極活物質層が設けられた正極電極と，少なくとも一部の負極集電体上に負極活物質層が設けられた負極電極とが，セパレータを介して対向した構造を有している。
【０００３】
非水電解質二次電池において，充電中には，電解質中の金属イオンが負極電極上に析出することがある。例えば，リチウムイオン二次電池では，樹枝（デンドライト）状のリチウムとして析出することがある。負極電極上に析出した金属（例えば，樹枝状リチウム）が対向する正極電極に接触すると，内部短絡や化学反応により電池が発熱する。この発熱により，電池の温度が上昇し，最悪な場合は電池が破裂・発火に至る可能性がある。
【０００４】
内部短絡の防止を目的とした技術が特許文献１（特開平１１−２７３７３９号公報）に記載されている。特許文献１の非水電解液二次電池は，正極集電体の少なくとも一方の主面側に正極合剤層が形成されてなる帯状の正極と，負極集電体の少なくとも一方の主面側に負極合剤層が形成されてなる帯状の負極とが，セパレータを介して積層された積層体が，巻芯に固定され，この巻芯を中心として捲回されてなる捲回集電体を有し，この捲回集電体が電池缶内に収納されてなる非水電解液二次電池である。ここで，少なくとも正極合剤層及び／又は負極合剤層の厚さが薄い部分に対応して，正極合剤層と負極合剤層間にイオン絶縁体が配されていることを特徴とすることが記載されている。
【０００５】
また，特許文献２（特開２００４−９５３８２号公報）には，電極群を構成するセパレータが熱で収縮し，セパレータの幅が正極と負極の幅よりも縮小した場合でも，高温の発熱に至ることを未然に防止することを目的とした技術が記載されている。この特許文献２のリチウムイオン二次電池は，集電体に活物質層を形成した正極及び集電体に活物質層を形成した負極をそれらの間にセパレータを介在して捲回した電極群を備え，少なくとも電極群の巻き始め端部を含む正負極の巻き方向に沿う両端部に５００℃以上の耐熱性を有する粉体がバインダ樹脂で結着された絶縁性被膜を固定することを特徴としている。
【先行技術文献】
【特許文献】
【０００６】
【特許文献１】特開平１１−２７３７３９号公報
【特許文献２】特開２００４−９５３８２号公報
【発明の概要】
【発明が解決しようとする課題】
【０００７】
通常，非水電解質二次電池中において，正極電極と負極電極とは，概ね一致する形状に作成され，概ね電極末端同士の位置を揃えて対向している。但し，完全に位置を揃えて対向しているのではなく，正極電極が負極電極からはみ出し正極電極が負極電極と対向していない領域を有していることもある。このような非水電解質二次電池を充電する場合，正極電極から供給される金属イオンが負極電極の許容する電気容量に対して部分的に過剰となり，負極電極に金属が析出することがある。
【０００８】
図１Ａ，図１Ｂ，図１Ｃ，図２Ａ，図２Ｂ及び図２Ｃは，非水電解質二次電池が正極電極と負極電極とが対向していない領域を有している場合に負極電極上に金属が析出する様子を説明するための説明図である。図１Ａ〜図１Ｃに示されるように，この非水電解質二次電池中においては，正極電極１０１と負極電極１０２とがセパレータ１０３を介して対向して配置されている。尚，正極電極１０１と負極電極１０２との間は非水電解質で満たされている。正極電極１０１は少なくとも一部で負極電極１０２からはみ出ており，負極電極１０２と対向する対向領域と，負極電極１０２と対向していない非対向領域とを有している。このような非水電解質二次電池を充電すると，正極電極から電解質中へ金属イオンが供給され，非水電解質中の金属イオンは負極電極１０２側へ移動する。この際，負極電極の少なくとも一部では負極容量に対して金属イオンが過剰になり，負極電極１０２の端部に金属１０４が析出することがある。そのため，負極電極１０２の端部では金属１０４が発生又は成長し易い。その結果，図２Ａ，図２Ｂ及び図２Ｃに示されるように，金属１０４がセパレータ１０３を貫通して正極電極１０１と接触してしまうことがある。負極電極１０２に析出した金属１０４が正極電極１０１と接触すると，既述のように発熱する。
【０００９】
従って，本発明の目的は，正極電極と負極電極とが対向していない領域を有していても負極電極から析出する金属の発生，又は負極電極から析出する金属の成長，又は負極電極から析出する金属と正極電極の接触を防止することのできる，非水電解質二次電池，及びその製造方法を提供することにある。
【課題を解決するための手段】
【００１０】
以下に，［発明を実施するための形態］で使用する括弧付き符号を用いて，課題を解決するための手段を説明する。これらの符号は，［特許請求の範囲］の記載と［発明を実施するための形態］の記載との対応関係を明らかにするために付加されたものであり，［特許請求の範囲］に記載されている発明の技術的範囲の解釈に用いてはならない。
【００１１】
本発明に係る非水電解質二次電池は，負極電極（２）と，セパレーター（３）を介して，少なくとも一部において前記負極電極と対向する正極電極（１）と，正極電極（１）の一部を被覆する電気絶縁体又は非イオン導電体（６）とを具備する。正極電極（１）は，負極電極（２）と対向する対向領域（１−３）と，負極電極（２）と対向しない非対向領域（１−４）とを有している。電気絶縁体又は非イオン導電体（６）は，少なくとも非対向領域（１−４）を含む領域を覆うように設けられている。
この発明によれば，非対向領域が電気絶縁体又は非イオン導電体（６）で覆われているので，充電時に非対向領域（１−４）から局所的に負極端部へ金属イオンが供給されない。従って，負極電極（２）から析出する金属（４）の発生を防止することができる。
【００１２】
正極電極（１）は，少なくとも一部の正極集電体（１−１）上に正極活物質層（１−２）の形成された部分である。また，正極集電体（１−１）は，対向領域（１−３）の外部へ向かって延びてる正極タブ（１１）を有している。
この発明によれば，正極タブ（１１）に非対向領域領域（１−４）を設けることによって確実に対向領域（１−３）に正極活物質層（１−２）が形成される上，充電時に非対向領域（１−４）から一部分の負極電極が許容する電気容量に対して過剰の金属イオンが供給されることも防止できる。
【００１３】
電気絶縁体又は非イオン導電体（６）は，少なくとも一部の前記正極活物質の端とその周縁部を被覆するように設けられていることが好ましい。
この発明によれば，正極電極（１）と負極電極（２）との積層位置がずれることにより，非対向領域（１−４）が生じても，非対向領域（１−４）から一部分の負極電極が許容する電気容量に対して過剰の金属イオンが供給されてしまうことを防止できる。
【００１４】
上記の非水電解質二次電池が，更に，正極電極（１）と負極電極（２）との間に介する空孔を有するセパレータ（３）を具備する。このとき，セパレータ（３）は，少なくとも非対向領域（１−４）と対向する部分で空孔が閉塞されていることが好ましい。
万が一，非対向領域（１−４）から一部分の負極電極が許容する電気容量に対して過剰の金属イオンが供給されて負極電極（２）の端部に金属（４）として析出したとする。このとき，セパレータ（３）の空孔が閉塞されていることにより，析出した金属（４）が遮断され，負極電極（２）から析出する金属（４）の成長又は負極電極（２）から析出する金属（４）と正極電極（１）の接触を防止できる。
【００１５】
本発明に係る非水電解質二次電池の製造方法は，正極集電体（１−１）上に，正極活物質層（１−２）を形成する工程と，当該工程の後に，正極活物質層（１−２）と正極集電体（１−１）と正極タブ（１１）とを含む形状に切断して，正極電極（１）を作成する工程と，負極電極（２）を作成する工程と，セパレータ（３）を介して正極電極（１）と負極電極（２）とが対向するように積層する工程とを具備する。ここで，正極電極（１）を作成する工程は，第１辺（４１）が正極電極予定部（１２）の端部よりも内側に位置し，正極電極予定部（１２）の端部である第２辺（４２）が正極タブ（１１）を横切るように，切断する工程と，第１辺（４１）と第２辺（４２）の間に形成される正極活物質（１−２）が設けられた正極集電体（１−１）の余剰領域（１−５）が被覆されるように，電気絶縁体又は非イオン導電体（６）を配置する工程とを備える。
【００１６】
電気絶縁体又は非イオン導電体（６）を配置する工程は，電気絶縁体又は非イオン導電体（６）を，少なくとも一部の前記正極活物質の端とその周縁部を被覆するように配置する工程を含むことが好ましい。
【００１７】
上述の非水電解質二次電池の製造方法は，更に，負極電極（２）の両面に空孔を有するセパレータ（３）を配置し，セパレータ（３）と負極電極（２）が対向していない領域の少なくとも一部を空孔が閉塞されるように熱溶解，熱溶着又は溶剤塗布して空孔閉塞部（３２）を形成する工程を具備し，非対向領域（１−４）が空孔閉塞部（３２）と対向するように重ねる工程を含むことが好ましい。
【発明の効果】
【００１８】
本発明によれば，正極電極と負極電極との積層位置がずれることにより，非対向領域が生じても，負極電極から析出する金属の発生又は負極電極から析出する金属の成長又は負極電極から析出する金属と正極電極の接触を防止することができる，非水電解質二次電池，及びその製造方法が提供される。
【図面の簡単な説明】
【００１９】
【図１Ａ】非対向領域における金属の析出を説明するための説明図である。
【図１Ｂ】非対向領域における金属の析出を説明するための説明図である。
【図１Ｃ】非対向領域における金属の析出を説明するための説明図である。
【図２Ａ】非対向領域における金属の析出を説明するための説明図である。
【図２Ｂ】非対向領域における金属の析出を説明するための説明図である。
【図２Ｃ】非対向領域における金属の析出を説明するための説明図である。
【図３Ａ】電極積層体を示す斜視図である。
【図３Ｂ】電極積層体を示す斜視図である。
【図３Ｃ】電極積層体を示す斜視図である。
【図３Ｄ】電極積層体を示す斜視図である。
【図４】図３ＡのＡＡ’に沿った断面図である。
【図５Ａ】セパレータと負極電極とを概略的に示す平面図である。
【図５Ｂ】セパレータと負極電極とを概略的に示す平面図である。
【図５Ｃ】セパレータと負極電極とを概略的に示す平面図である。
【図６Ａ】正極電極と負極電極との位置関係を示す平面図である。
【図６Ｂ】正極電極と負極電極との位置関係を示す平面図である。
【図６Ｃ】正極電極と負極電極との位置関係を示す平面図である。
【図６Ｄ】正極電極と負極電極との位置関係を示す平面図である。
【図６Ｅ】正極電極と負極電極との位置関係を示す平面図である。
【図７Ａ】正極電極の製造方法を説明するための説明図である。
【図７Ｂ】正極電極の製造方法を説明するための説明図である。
【図７Ｃ】正極電極の製造方法を説明するための説明図である。
【図８Ａ】電気絶縁体又は非イオン導電体と正極電極との位置関係を示す平面図である。
【図８Ｂ】電気絶縁体又は非イオン導電体と正極電極との位置関係を示す平面図である。
【図８Ｃ】電気絶縁体又は非イオン導電体と正極電極との位置関係を示す平面図である。
【図８Ｄ】電気絶縁体又は非イオン導電体と正極電極との位置関係を示す平面図である。
【図９】第１の実施形態において金属の析出が防止される様子を説明するための説明図である。
【図１０】第１の実施形態の非水電解質二次電池を充電したときの充電時間と温度との関係を示すグラフである。
【図１１】第１の実施形態の変形例の非水電解質二次電池を充電したときの充電時間と温度との関係を示すグラフである。
【図１２】比較用の非水電解質二次電池を充電したときの充電時間と温度との関係を示すグラフである。
【図１３Ａ】第２の実施形態のセパレータの構成を示す平面図である。
【図１３Ｂ】第２の実施形態のセパレータの構成を示す平面図である。
【図１４Ａ】二枚のシートの接着部分を拡大して示す図である。
【図１４Ｂ】二枚のシートの接着部分を拡大して示す図である。
【図１５Ａ】空孔閉塞部を説明するための説明図である。
【図１５Ｂ】空孔閉塞部を説明するための説明図である。
【図１５Ｃ】空孔閉塞部を説明するための説明図である。
【図１６】第２の実施形態において金属の析出が防止される様子を説明するための説明図である。
【発明を実施するための形態】
【００２０】
（第１の実施形態）
以下に，図面を参照しつつ本発明の実施形態を説明する。本実施形態に係る非水電解質二次電池は，非水電解質（図示略）と接している電極積層体を備えている。図３Ａ〜図３Ｄは，その電極積層体の構造の一例を概略的に示す斜視図である。その電極積層体は，複数の正極電極１と，複数の負極電極２とが交互に積層された構造体である。負極電極２と正極電極１とはセパレータ３を介して対向している。複数の正極電極１の各々には，正極タブ１１が設けられている。複数の負極電極２の各々には，負極タブ２１が設けられている。正極タブ１１及び負極タブ２１は，電極積層体の電力を外部に取り出すために設けられている。この電極積層体は，セパレータ３を介して正極電極１と負極電極２とを，交互に重ねて積層することにより得られる。
【００２１】
正極電極１は，正極集電体１−１と，少なくとも一部の正極集電体上に形成された正極活物質層１−２とを備えている。正極集電体１−１の少なくとも一部において正極活物質層１−２の設けられたものを，以下，正極電極１と定義する。正極集電体１−１としては，例えばアルミニウム，クロム，モリブデン，ニッケル，鉄，チタン又はステンレス鋼などのこれらを含む合金が用いられる。また，正極活物質層１−２としては，例えば，ＬｉＣｏｘＮｉ１−ｘＯ２（０≦ｘ≦１），ＬｉＮｉＯ２，ＬｉＭｎｘＮｉｙＣｏ１−ｘ−ｙＯｚ，ＬｉＣｏｘＮｉｙＡｌ１−ｘ−ｙＯｚ，ＬｉＦｅＰＯ４，ＬｉＶＰＯ４Ｆ，ＬｉｘＭｎｙＰＯ４，ＬｉｘＣｏｙＰＯ４，ＬｉｘＴｉｙＰＯ４，ＬｉＡｌＯ２，ＬｉＭｎＯ２，ＬｉＭｎ２Ｏ４，ＭｎＯ２，ＬｉＣｏＯ２，Ｖ２Ｏ５，Ｖ６Ｏ１３，Ｌｉ３Ｖ２Ｏ５，Ｃｒ２Ｏ５，Ｃｒ３Ｏ８，ＬｉＦｅＯ２，ＦｅＦ３，ＦｅＶＯ４などの金属酸化物，ＴｉＳ２，ＭｏＳ２などの金属硫化物，有機硫黄系化合物，ポリアニリン，ポリピロール又はこれらが含まれる物質などが用いられる。
負極電極２は，負極集電体と２−１と，少なくとも一部の負極集電体上に形成された負極活物質層２−２とを備えている。負極集電体２−１の少なくとも一部において負極活物質層２−２の設けられたものを，以下，負極電極２と定義する。負極集電体２−１としては，例えば，銅や銅を含む合金が用いられる。負極活物質２−２としては，例えば，黒鉛系材料，易黒鉛化性炭素，難黒鉛化性炭素，ＣＮＴなどの炭素質材料，Ｎｂ２Ｏ５，ＬｉｘＴｉｙＯｘ，スズ複合酸化物，ＳｉＯｘなどの酸化物，ＴｉＳｉ，Ｓｎ，Ｓｉ，Ｌｉ，Ｃｕ，Ｎｉ，Ｌａ，Ｃｅ，Ｐｒ，Ｎｂ，Ｃｏ又はこれらを含む合金などが用いられる。
【００２２】
図４は，図３ＡのＡＡ’に沿った断面図であり，正極タブ１１を通る面に沿った断面図である。図４に示されるように，正極集電体１−１に正極活物質１−２が設けられた正極電極１の一部は，負極集電体２−１に負極活物質２−２が設けられた負極電極２と非対向になっている。正極電極１において負極電極２と非対向である領域は，電気絶縁体又は非イオン導電体６により被覆されている。電気絶縁体又は非イオン導電体６は，負極電極２から析出する金属４の発生を防止するために設けられている。
【００２３】
一方，図４に示されるように，正極電極１はセパレータ３を介して負極電極２と対向している。図５Ａ〜図５Ｃは，負極電極２とセパレータ３の構成を示す平面図である。セパレータ３の端部は負極電極２からはみ出すように配置されており，そのはみ出し部で溶着されている。但し，負極タブ２１に対応する部分では，溶着されていない。
【００２４】
セパレータ３は，正極電極１と負極電極２とを接触させないために設けられている。但し，非水電解質中の金属イオンは，セパレータ３を透過できなければならない。そのため，セパレータ３としては，微細な空孔を有する多孔性のものが用いられる。また，セパレータ３は，熱溶融性を有するものが用いられる。このようなセパレータ３の材質としては，例えば，ポリプロピレン，ポリエチレンなどの有機樹脂又はこれらの混合物や，前記有機樹脂や前記有機樹枝の混合物中にセラミックスなどの無機化合物を混合したものなどを用いることができる。
【００２５】
次に，図６Ａ〜図６Ｃを参照して，正極電極１と負極電極２との位置関係について詳細に説明する。図６Ａ〜図６Ｅは，正極電極１と負極電極２との位置関係を示すための平面図である。尚，説明の便宜上，電気絶縁体又は非イオン導電体６やセパレータ３の図示は省略されている。
【００２６】
正極電極１は，負極電極２と対向している。以下では，正極電極１上において，負極電極２と対向している領域を，対向領域１−３と記載する。
【００２７】
正極集電体１−１は，正極電極１のある辺（第１辺４１）から，対向領域１−３の外側へ向かって延びる正極タブ１１を形成している。正極タブ１１は正極活物質層１−２が形成されていない部分を有する。但し，正極タブ１１には，製造上の都合により，正極活物質層１−２が形成されている。正極タブ１１において正極活物質層１−２の形成された部分を，以下，余剰領域１−５と記載する。
【００２８】
正極電極１と同様に，負極電極２においても，負極集電体２−１から負極タブ２１が対向領域１−２の外側へ向かって延びている。但し，負極タブ２１は，正極タブ１１と重ならないように配置されている。従って，正極タブ１１は負極電極２と対向していない領域を有する。余剰領域１−５では，負極電極２が非対向であることにより，既述したように充電時における負極電極２から析出する金属４の発生又は負極電極２から析出する金属４の成長又は負極電極２から析出する金属４と正極電極１の接触が懸念される。
【００２９】
ここで，余剰領域１−５が形成される理由について説明するため，図７Ａ〜図７Ｃを参照しつつ正極電極１の製造過程を説明する。
正極電極１を作成するにあたっては，まず，正極集電体１−１を用意する。そして，この正極集電体１−１の両面に正極活物質層１−２を形成する。図７Ａ〜図７Ｃ中，正極活物質層１−２の設けられた部分が，正極電極予定部１２と記載されている。また，正極集電体１−１上において正極活物質層１−２を設けられていない部分が，タブ予定部１３と記載される。さらに，正極電極予定部１２とタブ予定部１３との境界が，第２辺４２と記載される。
正極電極予定部１２の形成後，正極タブ予定部１３と正極電極予定部１２を含む領域を切断し，正極電極１が得られる。ここで，正極タブ１１には正極活物質層１−２が形成されている必要はない。逆に，対向領域１−３では確実に正極活物質層１−２が設けられている必要がある。従って，切断する際には，正極電極１の第１辺４１が，第２辺４２に重なるように切断することが理想的である。しかしながら，正極活物質層１−２を正極集電体１−１の両面の全く同じ位置に形成することは難しく，切断位置を精度良く制御することも難しい。そのため，これらの位置ずれ量を考慮して，第１辺４１が，若干（例示；０〜５ｍｍ），正極電極予定部１２の端部よりも正極活物質層１−２が設けられている側に位置するように，切断する。すなわち，第２辺４２が正極タブ１１を横切るように切断する。これにより，形成された正極電極１では，正極タブ１１の一部にまで正極活物質層１−２が設けられていることになる。この正極タブ１１において正極活物質層１−２の形成されている領域が，余剰領域１−５となる。すなわち，余剰領域１−５は，対向領域１−３に確実に正極活物質層を設けるためのマージンとして形成された領域である。
【００３０】
尚，負極電極２も，正極電極２と同様に，負極集電体２−１上に負極活物質層２−２が形成された後，所定領域が切断されることによって製造される。
【００３１】
続いて，図８Ａを参照して，電気絶縁体又は非イオン導電体６について説明する。図８Ａは，正極電極１と電気絶縁体又は非イオン導電体６との位置関係を示す平面図である。電気絶縁体又は非イオン導電体６は，正極電極１から負極電極が許容する電気容量に対して過剰に金属イオンが供給されることを防止するために設けられている。本実施形態では，正極集電体１−１の上に形成されて正極活物質層１−２の端とその周縁部５１の全周に電気絶縁体又は非イオン導電体６が設けられており，この電気絶縁体又は非イオン導電体６によって余剰領域１−５が被覆されている。
【００３２】
電気絶縁体又は非イオン導電体６の材質としては，電気絶縁性又は非イオン導電体を有していれば特に限定されず，有機化合物でも無機化合物でも用いることができる。また，有機化合物と無機化合物との混合物であってもよい。具体例を挙げると，ポリプロピレン，ポリエチレン，ポリイミド，セラミックス又はこれらの混合物などを用いることができる。
【００３３】
また，正極電極１上に電気絶縁体又は非イオン導電体６を配置する方法についても特に限定されない。例えば，電気絶縁体又は非イオン導電体６として二枚の粘着シート状の絶縁物を用意し，この二枚のシート状絶縁物により正極電極１の外周部両面を挟み込む。これにより，正極活物質層１−２の端とその周縁部５１の全周に電気絶縁体又は非イオン導電体６が配置される。また，電気絶縁体又は非イオン導電体６を粘着剤を介して正極電極１上に貼り付けてもよい。さらには，電気絶縁体又は非イオン導電体６をスラリ化し，正極電極１上に塗布することで，電気絶縁体又は非イオン導電体６を形成してもよい。
【００３４】
続いて，図９を参照して，本実施形態の作用について説明する。上述した構成の非水電解質二次電池を充電すると，正極電極１の対向領域１−３からは非水電解質中に金属イオンが供給される。しかしながら，負極電極２と非対向である余剰領域１−５では，電気絶縁体又は非イオン導電体６により正極電極１が被覆されているので，金属イオンが供給されない。従って，負極電極が許容する電気容量に対して過剰に供給された金属イオンが負極電極２の端部に析出することもなく，負極電極２から析出する金属４の発生が防止される。
【００３５】
尚，本実施形態においては，電気絶縁体又は非イオン導電体６が正極活物質層１−２の端とその周縁部５１の全周に設けられる場合について説明した。負極電極２と正極電極１とを積層する際には，位置ずれなどにより，余剰領域１−５以外の部分で，正極電極１が負極電極２と非対向になる可能性もある。図８Ｂ〜図８Ｄに示すように，正極電極１の末端及び外周部の全周に電気絶縁体又は非イオン導電体６を設ければ，余剰領域１−５以外の部分で正極電極１が負極電極２に非対向となったとしても，負極電極２から析出する金属の発生を防止できる。
但し，電気絶縁体又は非イオン導電体６の位置は，正極活物質層１−２の端とその周縁部５１の全周に限定されず，少なくとも余剰領域１−５を被覆するように設けられていればよい。
【００３６】
また，本実施形態においては，正極電極１と負極電極２とが概ね矩形状である場合について説明した。但し，正極電極１と負極電極２との形状は矩形状に限定されず，その他の形状であってもよい。
【００３７】
また，本実施形態では，複数の正極電極１と複数の負極電極２とが交互に積層された積層型の非水電解質二次電池について説明した。しかし，本発明を，正極電極と負極電極とを重ねて捲回した捲回型の非水電解質二次電池や，正極電極と負極電極とを積層して更に折りたたんだ折り畳み型の非水電解質二次電池に対して適用しても，既述した作用を奏することができる。
【００３８】
続いて，本実施形態の作用をより具体的に説明するため，本発明者らによって実施された実験結果について説明する。図１０は，本実施形態で説明した非水電解質二次電池における充電時間と電池温度との関係を示している。図１０の非水電解質二次電池では，余剰領域１−５が被覆されるように，正極活物質層１−２の端とその周縁部５１の全部に電気絶縁体又は非イオン導電体６が設けられている。また，図１１は，電気絶縁体又は非イオン導電体６を余剰領域１−５上とその周辺部にのみ設けた非水電解質二次電池についての結果である。また，図１２は，比較用に作成した非水電解質二次電池についての結果である。この比較用の非水電解質二次電池においては，電気絶縁体又は非イオン導電体６は設けられていない。尚，充電条件は，図１０〜図１２で用いた非水電解質二次電池で同じである。
【００３９】
図１２に示されるように，比較用の非水電解質二次電池では，充電開始すると電池温度が急激に上昇している。これは，負極電極２から析出する金属４の発生，負極電極２から析出する金属４の成長及び負極電極２から析出する金属４と正極電極１の接触が生じたからであると考えられる。実際に，実験終了後に比較用の非水電解質二次電池を分解し，セパレータ３と負極電極２の様子を観察したところ，正極電極１の余剰領域１−５に対応する位置において金属４が観察され，セパレータ３を貫通していることが確認された。
これに対して，図１０及び図１１に示される実験を実施した非水電解質二次電池では，電池温度の急激な上昇は見られず，比較用の非水電解質二次電池と比較して温度上昇が抑制された。更に，比較用の非水電解質二次電池と同様に，実験終了後に電池を分解してセパレータ３と負極電極２を観察したところ，余剰領域１−５に対応する位置でも負極電極２に金属４が析出しておらず，電気絶縁体又は非イオン導電体６を設けたことによる効果が確認された。
【００４０】
（第２の実施形態）
続いて，本発明の第２の実施形態について説明する。本実施形態では，第１の実施形態に対して，負極電極２を覆うセパレータ３の構成が更に工夫されている。尚，セパレータ３以外の点については，第１の実施形態と同様であるので，詳細な説明は省略する。
【００４１】
図１３Ａ，図１３Ｂはセパレータ３の構造を説明するための平面図である。図１３Ａ，図１３Ｂには，セパレータ３と正極電極１との位置関係が示されている。セパレータ３は，第１の実施形態と同様に，負極電極２からはみ出した外周部で溶着されている。本実施形態では，この溶着部が，空孔の潰された空孔閉塞部３２となっている。
【００４２】
空孔閉塞部３２は，二枚のシート（３３，３４）を貼り合わせる際に形成される。具体的には，まず，負極電極２の主面及び裏面側に，多孔性の第１シート３３及び第２シート３４を配置する。そして，第１シート３３及び第２シート３４の外周部同士に熱を加える。これにより，第１シート３３と第２シート３４とが熱溶融して接着する。このとき，熱溶融により空孔が閉塞され，空孔閉塞部３２が形成される。
ここで，二枚のシートを熱溶融により接着する場合，通常であれば，シワ発生を防止する目的などから，二枚のシートの接着部分が間欠的に位置するように，熱が加えられる。例えば，図１４Ａ〜図１４Ｂに示されるように，接着部と非接着部が形成されるように，二枚のシートを接着する。これにより，部分的に非接着部分が形成され，接着によるシワ発生が防止できる。
これに対して，本実施形態では，図１５Ａに示されるように，二枚のシートが，接着部がセパレータ外周部の全域となるように，熱溶着される。すなわち，非接着部分は存在していない。これは，外周部の全域を接着して空孔を閉塞することにより，負極電極２に析出したリチウムが空孔を突き抜けることを防止するためである。尚，空孔閉塞部３２は，図１５Ｂ〜図１５Ｃに示されるように，少なくとも余剰領域１−５に対向する部分に設けられていてもよい。
【００４３】
図１６は，本実施形態に係る非水電解質二次電池の作用を説明するための説明図である。本実施形態によれば，第１の実施形態と同様に，電気絶縁体又は非イオン導電体６により余剰領域１−５における金属イオンの供給が妨げられ，負極電極２の端部に金属４が析出してしまうことを防止できる。これに加えて，万が一，負極電極２の端部に金属４が析出してしまったとしても，空孔閉塞部３２により，析出した金属４が遮断される。従って，負極電極２から析出する金属と正極電極１の接触を防止される。すなわち，電気絶縁体又は非イオン導電体６で金属イオンの供給が妨げられた上，空孔閉塞部３２により析出した金属４が遮断されるので，負極電極２から析出する金属４と正極電極１の接触が発生する可能性を相乗的に低減することができる。
【符号の説明】
【００４４】
１  正極電極
１−１  正極集電体
１−２  正極活物質
１−３  対向領域
１−４  非対向領域
１−５  余剰領域
２  負極電極
２−１  負極集電体
２−２  負極活物質
３  セパレータ
４  金属
６  電気絶縁体又は非イオン導電体
１１  正極タブ
１２  正極電極予定部
１３  タブ予定部
２１  負極タブ
３１  空孔部
３２  空孔閉塞部
３３  第１シート
３４  第２シート
４１  第１辺
４２  第２辺
５１  正極電極末端及び外周部の全周
１０１  正極電極
１０２  負極電極
１０３  セパレータ
１０４  金属
【図１Ａ】
2012204333.tif 000003
【図１Ｂ】
2012204333.tif 000004
【図１Ｃ】
2012204333.tif 000005
【図２Ａ】
2012204333.tif 000006
【図２Ｂ】
2012204333.tif 000007
【図２Ｃ】
2012204333.tif 000008
【図３Ａ】
2012204333.tif 000009
【図３Ｂ】
2012204333.tif 000010
【図３Ｃ】
2012204333.tif 000011
【図３Ｄ】
2012204333.tif 000012
【図４】
2012204333.tif 000013
【図５Ａ】
2012204333.tif 000014
【図５Ｂ】
2012204333.tif 000015
【図５Ｃ】
2012204333.tif 000016
【図６Ａ】
2012204333.tif 000017
【図６Ｂ】
2012204333.tif 000018
【図６Ｃ】
2012204333.tif 000019
【図６Ｄ】
2012204333.tif 000020
【図６Ｅ】
2012204333.tif 000021
【図７Ａ】
2012204333.tif 000022
【図７Ｂ】
2012204333.tif 000023
【図７Ｃ】
2012204333.tif 000024
【図８Ａ】
2012204333.tif 000025
【図８Ｂ】
2012204333.tif 000026
【図８Ｃ】
2012204333.tif 000027
【図８Ｄ】
2012204333.tif 000028
【図９】
2012204333.tif 000029
【図１０】
2012204333.tif 000030
【図１１】
2012204333.tif 000031
【図１２】
2012204333.tif 000032
【図１３Ａ】
2012204333.tif 000033
【図１３Ｂ】
2012204333.tif 000034
【図１４Ａ】
2012204333.tif 000035
【図１４Ｂ】
2012204333.tif 000036
【図１５Ａ】
2012204333.tif 000037
【図１５Ｂ】
2012204333.tif 000038
【図１５Ｃ】
2012204333.tif 000039
【図１６】
2012204333.tif 000040